(57)【要約】      （修正有）【課題】連結しても見映えが良く、しかもバランスの良い照明効果が得られる棒状ＬＥＤ照明灯を提供する。【解決手段】ＬＥＤ光源を用いた棒状ＬＥＤ照明灯であって、一方の端部に、ＬＥＤ光源用導電体３０と導通している下方突出接続端子６０を備えた上側連結部１０６が形成されていると共に、他方の端部に、ＬＥＤ光源用導電体３０と導通しており、かつ上側連結部１０６の下方突出接続端子６０の嵌入時に当該接続端子と接触導通する、下方突出接続端子６０と嵌脱自在の嵌合凹所を備えた下側連結部１０ｃが形成されていることを特徴とする。【選択図】図４
0003150660.tif 000002
【実用新案登録請求の範囲】
【請求項１】
ＬＥＤ光源を用いた棒状ＬＥＤ照明灯であって、一方の端部に、ＬＥＤ光源用導電体と導通している下方突出接続端子を備えた上側連結部が形成されていると共に、他方の端部に、ＬＥＤ光源用導電体と導通しており、かつ上側連結部の下方突出接続端子の嵌入時に当該接続端子と接触導通する、下方突出接続端子と嵌脱自在の嵌合凹所を備えた下側連結部が形成されていることを特徴とする棒状ＬＥＤ照明灯。
【請求項２】
前記上側連結部と下側連結部の重ね合せ連結時の厚さが、本体部の厚さと略一致することを特徴とする請求項１記載の棒状ＬＥＤ照明灯。
【請求項３】
前記上側連結部と下側連結部の長さがＬＥＤ光源間の間隔と略一致していることを特徴とする請求項１又は２記載の棒状ＬＥＤ照明灯。
【請求項４】
前記嵌合凹所の底面部に、ＬＥＤ光源用導電体と導通している接触板が、前記下方突出接続端子の下端部と接触可能に設けられていることを特徴とする請求項１〜３の何れか１項記載の棒状ＬＥＤ照明灯。
【請求項５】
前記嵌合凹所が、平面視弧状形を有し、かつ前記一対の下方突出接続端子が当該弧状形に沿ってスライド動可能なように点対称一対に形設されていることを特徴とする請求項１〜４の何れか１項記載の棒状ＬＥＤ照明灯。
【請求項６】
前記上側連結部と下側連結部が、両者の回動を保持しつつビス止めするための連結孔部を備えていることを特徴とする請求項１〜５の何れか１項記載の棒状ＬＥＤ照明灯。
【考案の詳細な説明】
【技術分野】
【０００１】
本考案は、ＬＥＤ光源を用いた棒状ＬＥＤ照明灯、特に商品陳列・インテリア用照明器具として好適な棒状ＬＥＤ照明灯に関する。
【背景技術】
【０００２】
従来、ＬＥＤ光源を用いた照明器具としては、種々の形態のものが知られており、例えば、基板上に導電体を介して複数のＬＥＤ光源を列状に配置し、ケースカバーで被覆した棒状（あるいは板状）のＬＥＤ照明灯もその一つである（非特許文献１参照）。
このような棒状ＬＥＤ照明灯は、一般に工作機械等の盤内照明や保冷庫等の低温環境での照明に使用され、設置対照部位が長尺な場合には、当該棒状ＬＥＤ照明灯を適宜数連結して使用していた。
【０００３】
しかしながら、斯かる従来の棒状ＬＥＤ照明灯の連結は、単に棒状ＬＥＤ照明灯から外部に引き出されたコード同士を接続して行なっていたに過ぎなかったため、工場等内における照明器具としてはともかく、商品を陳列する棚やショーケースあるいはインテリア照明器具としては、接続コードが露出し、見映えが悪いと共に、ＬＥＤ光源間の間隔が本体内における間隔に比し、コード接続部において当該露出しているコード分だけ長くなるため、等間隔でのＬＥＤ光源発光が得られず、アンバランスな照明になると云う問題があり、実用性に欠けるのが実状であった。
【先行技術文献】
【非特許文献】
【０００４】
【非特許文献１】”棒状ＬＥＤ光源”、岡谷電機産業株式会社〔平成２１年２月２６日検索〕、インターネット＜ＵＲＬ：ｈｔｔｐ：／ｗｗｗ．ｏｋａｙａｅｌｅｃ．ｃｏ．ｊｐ＞
【考案の概要】
【考案が解決しようとする課題】
【０００５】
本考案は、上記の如き従来の問題と実状に鑑みてなされたもので、連結しても見映えが良く、しかもバランスの良い照明効果が得られ、特に商品陳列・インテリア用照明器具として好適な棒状ＬＥＤ照明灯を提供することを課題としているものである。
【課題を解決するための手段】
【０００６】
本考案は、ＬＥＤ光源を用いた棒状ＬＥＤ照明灯であって、一方の端部に、ＬＥＤ光源用導電体と導通している下方突出接続端子を備えた上側連結部が形成されていると共に、他方の端部に、ＬＥＤ光源用導電体と導通しており、かつ上側連結部の下方突出接続端子の嵌入時に当該接続端子と接触導通する、下方突出接続端子と嵌脱自在の嵌合凹所を備えた下側連結部が形成されていることを特徴とする棒状ＬＥＤ照明灯により上記課題を解決したものである。
【考案の効果】
【０００７】
本考案棒状ＬＥＤ照明灯を用いれば、第１の棒状ＬＥＤ照明灯の上側連結部を第２の棒状ＬＥＤ照明灯の下側連結部に重ね合せ、下方突出接続端子を嵌合凹所に嵌入するだけで導通可能に連結されるので、極めて容易かつ確実に連結操作を行なうことができる。
しかも、従来のように接続コードが露出することがないので、見映えが良いと共に、上側連結部及び下側連結部の長さをＬＥＤ光源間の間隔と略一致せしめれば、連結状態でもＬＥＤ光源間の間隔が均一となるので、バランスの良い照明効果が得られる。
また、特に上側連結部と下側連結部を回動可能な態様で実施すれば、連結部で屈曲せしめることができるので、コーナー等如何なる箇所においても自在に設置することができる。
以上従って、本考案棒状ＬＥＤ照明灯は、特に商品陳列・インテリア用照明器具として好適で、実用性に優れる。
【図面の簡単な説明】
【０００８】
【図１】本考案棒状ＬＥＤ照明灯の概略正面説明図。
【図２】上側連結部の拡大断面説明図。
【図３】下側連結部の拡大断面説明図。
【図４】連結した状態の要部拡大断面説明図。
【図５】連結時の導通状態を示す概略平面説明図。
【図６】屈曲連結状態を示す概略平面説明図。
【考案を実施するための形態】
【０００９】
以下本考案の実施の形態を図１〜５と共に説明する。
【００１０】
１０は棒状ＬＥＤ照明灯で、図１に示されているように、本体部１０ａと；その一方の端部に形成された上側連結部１０ｂと；その他方の端部に形成された下側連結部１０ｃとから構成されている。
【００１１】
本体部１０ａは、図２及び図３に示されているように、アルミニウム等から成る放熱基板２０と；該放熱基板２０の上面に配設されたＬＥＤ光源用導電体３０と；該導電体３０に接続して適宜数・適宜間隔で列状に配置されたＬＥＤ光源４０と；当該ＬＥＤ光源４０及びＬＥＤ光源用導電体３０を被覆しつつ、放熱基板２０の側部に取り付けられたカバー体５０とによって構成されている。
【００１２】
上側連結部１０ｂは、図１及び図２に示されているように、本体部１０ａの一方の上側端部から、カバー体５０を一部突出せしめて形成されている。この上側連結部１０ｂには、図２に示されているように、ＬＥＤ光源用導電体３０から一対の導線３１が引き出されていると共に、当該一対の導線３１に接続導通せしめて一対の下方突出接続端子６０が形設されている。
【００１３】
下側連結部１０ｃは、図１及び図３に示されているように、本体部１０ａの他方の下側端部から、カバー体５０，ＬＥＤ光源用導電体３０及び放熱基板２０を一部突出せしめて形成されている。この下側連結部１０ｃには、図３及び図４に示されているように、上側連結部１０ｂの下方突出接続端子６０と嵌脱自在の嵌合凹所７０が形設されていると共に、該嵌合凹所７０の底面部にはＬＥＤ光源用導電体３０に接続導通している接触板３２が、下方突出接続端子６０の下端部と接触可能に設けられている。
【００１４】
嵌合凹所７０は、単なる円溝であっても良いが、図５に示されているように、一対の下方突出接続端子６０が当該凹所形状に沿ってスライド動し得るように、平面視弧状形の凹所を一対点対称に対向形設すれば棒状ＬＥＤ照明灯１０を複数連結した場合、上側連結部１０ｂと下側連結部１０ｃが回動可能となる結果、図６に示すように棒状ＬＥＤ照明灯１０を屈曲した状態でも連結することができるので、より有利である。
【００１５】
また、この場合、上側連結部１０ｂの下方突出接続端子６０が下側連結部１０ｃの嵌合凹所７０から脱離するのを防止すべく、両連結部の回動を保持しつつビス（図示省略）止めするのが望ましいので、図５及び図６に示されているように、上側連結部１０ｂと下側連結部１０ｃの中央部には、両連結部の回動を保持しつつビス止めするための連結孔部８０を更に形設するのが、より有利である。
【００１６】
上側連結部１０ｂと下側連結部１０ｃの具体的な厚さは特に制限されないが、図４に示されているように、両者の重ね合せ連結時に本体部１０ａの厚さと略一致する厚さとなるように予め設定するのが、複数の棒状ＬＥＤ照明灯１０の連結状態においても全体として均一な厚さとすることができるので、より有利である。
【００１７】
上側連結部１０ｂと下側連結部１０ｃの具体的な長さも特に制限されないが、ＬＥＤ光源４０間の間隔に略一致せしめれば、両者の重ね合せ連結時に、当該連結部がＬＥＤ光源間の間隔となり、バランスの良い照明効果が得られるので、より有利である。
【符号の説明】
【００１８】
１０：棒状ＬＥＤ照明灯
１０ａ：本体部
１０ｂ：上側連結部
１０ｃ：下側連結部
２０：放熱基板
３０：ＬＥＤ光源用導電体
３１：導線
３２：接触板
４０：ＬＥＤ光源
５０：カバー体
６０：下方突出接続端子
７０：嵌合凹所
８０：連結孔部
【図１】
0003150660.tif 000003
【図２】
0003150660.tif 000004
【図３】
0003150660.tif 000005
【図４】
0003150660.tif 000006
【図５】
0003150660.tif 000007
【図６】
0003150660.tif 000008